(57)【要約】      （修正有）【課題】現場作業が容易で信頼性も高く、かつ工期も短縮できる鋼製建築部材の接続金具、及び同接続金具を使用した建築部材接続構造を提供する。【解決手段】長さが９〜２１ｃｍのＬ形鋼２の中央部に長方形の鋼板が溶着され、かつ前記鋼板に複数個の締結具挿入孔５が穿設された締着支持壁３ａを備えてなる雄側金具１ａと、長さが９〜２１ｃｍのＬ形鋼の中央部付近に、長方形の鋼板２枚が、少なくとも前記雄側金具の締着支持壁３ａの厚み分の間隔を持って溶着され、かつ前記鋼板のうちのいずれか１枚は複数個の締結具挿入孔５が穿設された締着支持壁をなし、他の１枚は前記締結具の頭部が通過し得る大きさの穴６が穿設されたガイド壁４をなす雌側金具１６とで構成された鋼構造建築部材接続金具による。【選択図】  図４
2004353413.tif 000002
【特許請求の範囲】
【請求項１】
長さが９〜２１ｃｍのＬ形鋼の中央部に、垂直方向の１辺は前記Ｌ形鋼の内法の長さに等しく、水平方向の１辺は前記Ｌ形鋼の内法の長さより前記Ｌ形鋼の厚みに相当する長さだけ短い長方形の鋼板が溶着され、かつ前記鋼板に複数個の締結具挿入孔が穿設された締着支持壁を備えてなる雄側金具と、長さが９〜２１ｃｍのＬ形鋼の中央部付近に、垂直方向の１辺は前記Ｌ形鋼の内法の長さに等しいか又は数ｍｍ短く、水平方向の１辺は前記Ｌ形鋼の内法の長さより前記Ｌ形鋼厚みに相当する長さだけ短い長方形の鋼板の２枚が、少なくとも前記雄側金具の締着支持壁の厚み分の間隔を持って溶着され、かつ前記鋼板のうちのいずれか１枚は複数個の締結具挿入孔が穿設された締着支持壁をなし、他の１枚は前記締結具の頭部が通過し得る大きさの穴が穿設されたガイド壁をなす雌側金具と、
の雌雄一対の金具で構成されてなることを特徴とする鋼構造建築部材接続金具。
【請求項２】
前記雌側金具において、ガイド壁の垂直方向の長さが、締着支持壁垂直方向の長さよりも短いことを特徴とする請求項１に記載の鋼製建築部材接続金具。
【請求項３】
長さが９〜２１ｃｍのＬ形鋼の中央部に、垂直方向の１辺は前記Ｌ形鋼の内法の長さに等しく、水平方向の１辺は前記Ｌ形鋼の内法の長さより前記Ｌ形鋼の厚みに相当する長さだけ短い長方形の鋼板が溶着され、かつ前記鋼板に複数個の締結具挿入孔が穿設された締着支持壁を備えてなる雄側金具と、長さが９〜２１ｃｍのＬ形鋼の中央部付近に、垂直方向の１辺は前記Ｌ形鋼の内法の長さに等しいか又は数ｍｍ短く、水平方向の１辺は前記Ｌ形鋼の内法の長さより前記Ｌ形鋼の厚みに相当する長さだけ短い長方形の鋼板の２枚が、少なくとも前記雄側金具の締着支持壁の厚み分の間隔を持って溶着され、かつ前記鋼板のうちのいずれか１枚は複数個の締結具挿入孔が穿設された締着支持壁をなし、他の１枚は前記締結具の頭部が通過し得る大きさの穴が穿設されたガイド壁をなす雌側金具と、
の雌雄一対の金具で構成されてなる鋼構造建築部材接続金具を、前記雄側金具の締着支持壁を雌側金具の締着支持壁とガイド壁との間に、雌雄の金具の締結具挿入孔が整合するよう嵌挿し、ボルトとナット等からなる締結具を前記締結具挿入孔に挿通・締結することにより予め前記鋼製建築部材接続金具の雄側金具が溶着された鋼製の土台、柱、梁などの建築部材と、前記締着金具の雌側金具が溶着された鋼製の土台、柱、梁などの建築部材とを接続してなることを特徴とする鋼製建築部材接続金具を使用した建築部材接続構造。
【請求項４】
前記鋼製建築部材接続金具を使用した建築部材接続構造において、前記接続金具の雌型金具のガイド壁の垂直方向の長さが、締着支持壁垂直方向の長さよりも短い鋼製建築部材接続金具を用いたことを特徴とする請求項３に記載の鋼製建築部材接続金具を使用した建築部材接続構造。
【発明の詳細な説明】
【０００１】
【発明の属する技術分野】本発明は、鋼構造の建築物において、鋼製の柱、梁、土台などの建築部材同士を接続する接続金具、及び前記接続金具を使用した鋼製建築部材の接続構造に関する。
【０００２】
【従来の技術及び発明が解決しようとする課題】住宅などの軽量鋼構造の建築物の在来工法においては、土台に柱を立設したり、柱同士を接合したり、さらには柱へ梁を架設したりする場合、施工現場でそれぞれの部材の接合部にガセット板等の補強材を溶接したりボルトとナット等によって締着したりして、両者を接続・固着する方法が採られている。
しかし、施工現場において前記ガセット板等の補強材を溶接したりボルトとナットで締着して土台、柱、梁等の鋼製建築部材を接続するには、施工現場に溶接や位置決めなどに熟練した技術者を配置する必要があり、また現場作業のため信頼性の劣る恐れもあり、さらには工期も長引き、施工効率が悪い等の問題があった。
したがって、本発明の課題は、現場作業が容易で信頼性も高く、かつ工期も短縮できる鋼製建築部材の接続金具、及び同接続金具を使用した建築部材接続構造を提供することにある。
【０００３】
【課題を解決するための手段】本発明者は上記課題を下記の手段によって解決した。
（１）長さが９〜２１ｃｍのＬ形鋼の中央部に、垂直方向の１辺は前記Ｌ形鋼の内法の長さに等しく、水平方向の１辺は前記Ｌ形鋼の内法の長さより前記Ｌ形鋼の厚みに相当する長さだけ短い長方形の鋼板が溶着され、かつ前記鋼板に複数個の締結具挿入孔が穿設された締着支持壁を備えてなる雄側金具と、
長さが９〜２１ｃｍのＬ形鋼の中央部付近に、垂直方向の１辺は前記Ｌ形鋼の内法の長さに等しいか又は数ｍｍ短く、水平方向の１辺は前記Ｌ形鋼の内法の長さより前記Ｌ形鋼厚みに相当する長さだけ短い長方形の鋼板の２枚が、少なくとも前記雄側金具の締着支持壁の厚み分の間隔を持って溶着され、かつ前記鋼板のうちのいずれか１枚は複数個の締結具挿入孔が穿設された締着支持壁をなし、他の１枚は前記締結具の頭部が通過し得る大きさの穴が穿設されたガイド壁をなす雌側金具と、
の雌雄一対の金具で構成されてなることを特徴とす鋼構造建築部材接続金具。
（２）前記雌側金具において、ガイド壁の垂直方向の長さが、締着支持壁垂直方向の長さよりも短いことを特徴とする前記（１）に記載の鋼製建築部材接続金具。
【０００４】
（３）長さが９〜２１ｃｍのＬ形鋼の中央部に、垂直方向の１辺は前記Ｌ形鋼の内法の長さに等しく、水平方向の１辺は前記Ｌ形鋼の内法の長さより前記Ｌ形鋼の厚みに相当する長さだけ短い長方形の鋼板が溶着され、かつ前記鋼板に複数個の締結具挿入孔が穿設された締着支持壁を備えてなる雄側金具と、
長さが９〜２１ｃｍのＬ形鋼の中央部付近に、垂直方向の１辺は前記Ｌ形鋼の内法の長さに等しいか又は数ｍｍ短く、水平方向の１辺は前記Ｌ形鋼の内法の長さより前記Ｌ形鋼の厚みに相当する長さだけ短い長方形の鋼板の２枚が、少なくとも前記雄側金具の締着支持壁の厚み分の間隔を持って溶着され、かつ前記鋼板のうちのいずれか１枚は複数個の締結具挿入孔が穿設された締着支持壁をなし、他の１枚は前記締結具の頭部が通過し得る大きさの穴が穿設されたガイド壁をなす雌側金具と、
の雌雄一対の金具で構成されてなる鋼構造建築部材接続金具を、前記雄側金具の締着支持壁を雌側金具の締着支持壁とガイド壁との間に、雌雄の金具の締結具挿入孔が整合するよう嵌挿し、ボルトとナット等からなる締結具を前記締結具挿入孔に挿通・締結することにより予め前記鋼製建築部材接続金具の雄側金具が溶着された鋼製の土台、柱、梁などの建築部材と、前記締着金具の雌側金具が溶着された鋼製の土台、柱、梁などの建築部材とを接続してなることを特徴とする鋼製建築部材接続金具を使用した建築部材の接続構造。
（４）前記鋼製建築部材接続金具を使用した建築部材接続構造において、前記接続金具の雌型金具のガイド壁の垂直方向の長さが、締着支持壁垂直方向の長さよりも短い鋼製建築部材接続金具を用いたことを特徴とする前記（３）に記載の鋼製建築部材接続金具を使用した建築部材接続構造。
【０００５】
【発明の実施の形態】本発明の実施の形態を、実施例の図に基づいて説明する。
図１は鋼製建築部材接続金具の実施例の斜視図、図２は図１に示す接続金具の実施例の接続方法を示す斜視図、図３は鋼製建築部材接続金具の第２の実施例の斜視図、図４は図３に示す接続金具の第２の実施例の接続方法を示す斜視図である。
また、図５は図３に示す第２の実施例の接続金具を使用した土台と柱の接続構造を示す斜視図、図６は第２の実施例の接続金具を使用した柱同士の接続構造を示す斜視図、図７は第２の実施例の接続金具を使用した柱と梁との接続構造を示す斜視図、図８は厚みのある梁を上下２箇所の接続金具によって柱に接続する場合の接続構造を示す斜視図である。
図において１ａは雄側金具、１ｂは雌側金具、２はＬ形鋼、３ａは雄側金具の締着支持壁、３ｂは雌側金具の締着支持壁、４はガイド壁、５は締結具挿入孔、６は：締結具の頭部が通過し得る大きさの穴、７はボルト、８はナット、９は座金である。また、１１は柱、１１ａは上方に位置する柱、１１ｂは下方に位置する柱、１２は土台、１３は梁である。
【０００６】
（実施例１）
本発明の鋼製建築部材接続金具は、図１の実施例に示すように、長さが９〜２１ｃｍのＬ形鋼２の中央部に、垂直方向の１辺は前記Ｌ形鋼２の内法の長さに等しく、水平方向の１辺は前記Ｌ形鋼２の内法の長さより前記Ｌ形鋼２の厚みに相当する長さだけ短い長方形の鋼板が溶着され、かつ前記鋼板に複数個の締結具挿入孔５が穿設された締着支持壁３ａを備えてなる雄側金具１ａと、
長さが９〜２１ｃｍのＬ形鋼２の中央部付近に、垂直方向の１辺は前記Ｌ形鋼２の内法の長さに等しいか又は数ｍｍ短く、水平方向の１辺は前記Ｌ形鋼２の内法の長さより前記Ｌ形鋼２の厚みに相当する長さだけ短い長方形の鋼板２枚が、少なくとも前記雄側金具１ａの締着支持壁３ａの厚み分の間隔を持って溶着され、かつ前記鋼板のうちのいずれか１枚は、図示されてはいないが複数個の締結具挿入孔が穿設された締着支持壁３ｂをなし、他の１枚は前記締結具の頭部が通過し得る大きさの穴６が穿設されたガイド壁４をなす雌側金具１ｂとで構成されている。
【０００７】
そして、前記雄側金具１ａと雌側金具１ｂとは、図２に示すように、雄側金具１ａの締着支持壁３ａが、前記雌側金具１ｂの締着支持壁３ｂとガイド壁４との間に嵌挿され、雌雄両側金具１ａ、１ｂの締結具挿入孔５が整合して貫通した後、該締結具挿入孔５の貫通孔に締結具としてのボルト７が挿通され、ナット８により締結され、接続金具としての機能を発揮する。なお、雌側金具１ｂのガイド壁４の、前記締着支持壁３ｂの締結具挿入孔５に対応する位置には締結具の頭部が通過し得る大きさの穴６が穿設されているので、雄側金具１ａと雌側金具１ｂとの締結のためにボルト７を締結具挿入孔５の貫通孔に挿通する際、前記ガイド壁４がその妨げとなることはない。
また、ボルト７とナット８による締結の際、座金９を用いることが好ましい。
【０００８】
（実施例２）
図３に示す第２の実施例は、雌側金具１ｂのガイド壁４の垂直方向の長さが締着支持壁３ｂの垂直方向の長さより短く構成されたものであって、実施例１で示した鋼製建築部材接続金具が、雄側金具１ａを雌側金具１ｂの真上から嵌挿して建築部材を接続するのに対して、図８に示すような厚みのある梁１３を上下２箇所の接続金具によって柱１１に接続する場合等、上下の接続金具間に雄側金具１ａを雌側金具１ｂの真上から嵌挿するのに十分な間隔が得られないようなときにも使用可能なように工夫されたものである。つまり、雄側金具１ａを雌側金具１ｂに嵌挿する際、まず雄側金具１ａを雌側金具１ｂのガイド壁４側から真横に移動し、前記雄側金具１ａの締着支持壁３ａを前記ガイド壁４の上方を通過させて雌側金具１ｂの締着支持壁３ｂに接触させた後、下方に移動して前記ガイド壁４と締着支持壁３ｂとの間に嵌挿できるようにしたものである。
なお、本実施例２も実施例１と同様、雄側金具１ａを雌側金具１ｂの真上から嵌挿する場合にも使用できるのは言うまでもない。
【０００９】
前記雄側金具１ａと雌側金具１ｂとは、図４に示すように、雄側金具１ａの締着支持壁３ａが、前記雌側金具１ｂの締着支持壁３ｂとガイド壁４との間に嵌挿され、雌雄両側金具１ａ、１ｂの締結具挿入孔５が整合して貫通した後、該締結具挿入孔５の貫通孔にボルト７が挿通され、ナット８により締結され、接続金具としての機能を発揮する。なお、雌側金具１ｂのガイド壁４の、前記締着支持壁３ｂの締結具挿入孔５に対応する位置には締結具の頭部が通過し得る大きさの穴６が穿設されているので、雄側金具１ａと雌側金具１ｂとの締結のためにボルト７を締結具挿入孔５の貫通孔に挿通する際、前記ガイド壁４がその妨げとなることはない。
また、ボルト７とナット８による締結の際、座金９を用いることが好ましい。
【００１０】
以下に上記第２の実施例の鋼製建築部材接続金具を使用した建築部材接続構造について説明する。
（土台と柱の接続）
図５に土台１２に柱１１を立設する場合の接続構造を示した。図５に見られるとおり、柱１１の下端に雄側金具１ａの上面が溶着され、該雄側金具１ａの締着支持壁３ａを、土台１２の柱１１を立設する位置に溶着された雌側金具１ｂの締着支持壁３ｂとガイド壁４との間に嵌挿し、前記雌雄両金具１ａ、１ｂの締着支持壁３ａ、３ｂに穿設された締結具挿入孔５が整合して貫通した後、前記締結具挿入孔５の貫通孔に図示しないボルトが挿通され、これも図示しないナットにより締結されて、土台３と柱２の接続構造が構成される。
また、ボルト７とナット８による締結の際、座金９を用いることが好ましい。
【００１１】
（２本の柱同士の接続）
図６に上下に位置する２本の柱１１ａと１１ｂを接合する場合の接続構造を示した。図６に見られるとおり、上方に位置する柱１１ａの下端に雄側金具１ａの、上面が溶着され、該雄側金具１ａの締着支持壁３ａを、下方に位置する柱１１ｂの上端に溶着された雌側金具１ｂの締着支持壁３ｂとガイド壁４との間に嵌挿し、前記雌雄両金具１ａ、１ｂの締着支持壁３ａ、３ｂに穿設された締結具挿入孔５が整合して貫通した後、前記締結具挿入孔５の貫通孔に図示しないボルトが挿通され、これも図示しないナットにより締結されて、上下の２本の柱１１ａと１１ｂとの接続構造が構成される。
また、ボルト７とナット８による締結の際、座金９を用いることが好ましい。
【００１２】
（柱と梁の接続構造）
図７に柱１１と梁１３を接合する場合の接続構造を示した。図７に見られるとおり、梁１３の両端部に雄側金具１ａの側面が溶着され、該雄側金具１ａの締着支持壁３ａを、梁を架設する位置に溶着された雌側金具１ｂの締着支持壁３ｂとガイド壁４との間に嵌挿し、前記雌雄両金具１ａ、１ｂの締着支持壁３ａ、３ｂに穿設された締結具挿入孔５が整合して貫通した後、前記締結具挿入孔５の貫通孔に図示しないボルトが挿通され、これも図示しないナットの装着により締結されて、柱１１と梁１３との接続構造が構成される。
また、ボルト７とナット８による締結の際、座金９を用いることが好ましい。
【００１３】
（厚みのある梁と柱の接続構造）
図８に厚みのある梁１３を柱１１に接続する場合の接続構造を示した。図８に見られるとおり、梁１３の端面に溶着された２個の雄側金具１ａの締着支持壁３ａを、柱１１に溶着された２個の雌側金具１ｂの締着支持壁３ｂとガイド壁４との間に嵌挿する際、上下の接続金具間に雄側金具１ａを雌側金具１ｂの真上から嵌挿するのに必要な間隔が得られないと、下方の雄側金具１ａの上部と上方の雌側金具１ｂの下面とが接触し、このままでは真上からの嵌挿は困難になる。
しかし、本発明の第２の実施例の鋼製建築部材接続金具を使用すれば、雌側金具１ｂのガイド壁４が低いことを利用してまず梁１３をガイド壁４の側から真横に移動し、前記雄側金具１ａの締着支持壁３ｂを前記ガイド壁４の上方を通過させて雌側金具１ｂの締着支持壁３ｂに接触させた後、下方に移動して前記ガイド壁４と締着支持壁３ｂとの間に嵌挿し、前記雌雄両金具１ａ、１ｂの締着支持壁３ａ、３ｂに穿設された締結具挿入孔５が整合して貫通した後、前記締結具挿入孔５の貫通孔に図示しないボルトが挿通され、これも図示しないナットの装着により締結されて、柱１１と梁１３との接続構造が構成される。
また、ボルト７とナット８による締結の際、座金９を用いることが好ましい。。
【００１４】
【発明の効果】本発明によれば、下記のような効果が発揮できる。
▲１▼  本鋼製建築部材接続金具は、雄側金具の締着支持壁が、雌側金具の締着支持壁とガイド壁との間に嵌挿されるので、接続時の位置決めが容易、確実に行える。
▲２▼  前記雌側金具のガイド壁高を低くしたことにより、厚みのある梁の上下２箇所を、本発明の接続金具で接続することも可能になり、建造物の強度を高めることができる。
▲３▼  本鋼製建築部材接続金具は、構造が簡単で量産に適し、またその接続も複数のボルトとナットだけですみ、簡便で作業性に富む。
▲４▼  本鋼製建築部材接続金具の雌雄の金具は、工作機械、工具などを十分に備えた工場でそれぞれの部材に溶着され建設現場に持ち込めるので、精度の高い鋼製建築接続構造の建築物が建造できる。また工期も短縮できる。
【図面の簡単な説明】
【図１】鋼製建築部材接続金具の実施例の斜視図。
【図２】図１に示す接続金具の実施例の接続方法を示す斜視図。
【図３】鋼製建築部材接続金具の第２の実施例の斜視図。
【図４】図３に示す接続金具の第２の実施例の接続方法を示す斜視図。
【図５】第２の実施例の接続金具を使用した土台と柱の接続構造を示す斜視図。
【図６】第２の実施例の接続金具を使用した柱同士の接続構造を示す斜視図。
【図７】第２の実施例の接続金具を用いた柱と梁との接続構造を示す斜視図。
【図８】厚みのある梁を上下２箇所の接続金具によって柱に接続する場合の接続構造を示す斜視図
【符号の説明】
１ａ：雄側金具                                                    １ｂ：雌側金具
２：Ｌ形鋼                                                            ３ａ：雄側金具の締着支持壁
３ｂ：雌側金具の締着支持壁                            ４：ガイド壁
５：締結具挿入孔
６：締結具の頭部が通過し得る大きさの穴
７：ボルト                                                            ８：ナット
９：座金                                                                １１：柱
１１ａ：下方に位置する柱                                １１ｂ：上方に位置する柱
１２：土台                                                            １３：梁
【図１】
2004353413.tif 000003
【図２】
2004353413.tif 000004
【図３】
2004353413.tif 000005
【図４】
2004353413.tif 000006
【図５】
2004353413.tif 000007
【図６】
2004353413.tif 000008
【図７】
2004353413.tif 000009
【図８】
2004353413.tif 000010